(57)【要約】      （修正有）【課題】商品陳列棚上の商品を移動させることなく交換でき、かつ、現場での組立作業も容易な表示パネルを提供する。【解決手段】表示部２０とその背面側に設けられた少なくとも一つの補強部３０を備え、前記表示部２０はその上辺部２１の少なくとも両端に補強部側に折り曲げられたフック２２を有すると共に、その下辺部２３の少なくとも両端に補強部側に折り曲げられたリブ２４を有し、前記補強部３０はその上下両端が前記表示部２０に接続され、かつ、その左右両端に設けた担持部３１によって前記表示部２０を前方に向かって張り出させる。【選択図】図２
0003159886.tif 000002
【実用新案登録請求の範囲】
【請求項１】
表示部とその背面側に設けられた少なくとも一つの補強部を備え、前記表示部はその上辺部の少なくとも両端に補強部側に折り曲げられたフックを有すると共に、その下辺部の少なくとも両端に補強部側に折り曲げられたリブを有し、前記補強部はその上下両端が前記表示部に接続され、かつ、その左右両端に設けた担持部によって前記表示部を前方に向かって張り出させて成る表示パネル。
【請求項２】
表示部が短冊形に形成され、前記表示部の背面側に設けられた補強部が凹レンズ形に形成され、前記補強部の両側に設けられた担持部が凸レンズ形に形成されている請求項１記載の表示パネル。
【請求項３】
凹レンズ形に形成された補強部と、凸レンズ形に形成され担持部の境界線に浅い切り込みを設けた請求項２記載の表示パネル。
【請求項４】
凸レンズ形に形成され担持部の前端中央に半円状の指掛かり部を設けた請求項１ないし３のいずれか１項に記載の表示パネル。
【請求項５】
補強部と、該補強部の両側に設けられたリブは、その下辺部で表示部と一体的に連続し、前記補強部は、その上辺部が表示部の上辺部に糊付けされている請求項１記載の表示パネル。
【請求項６】
表示部の前面に、少なくとも商品名、販売価格、キャッチフレーズを標記し、補強部の背面に担持部の押し込み方や、表示パネルの掛け方が標記した請求項１記載の表示パネル。
【考案の詳細な説明】
【技術分野】
【０００１】
本考案は、商品陳列棚の棚板の前端部に着脱することができる表示パネルに関するものである。
【背景技術】
【０００２】
従来、板紙からなる一枚のブランクに複数本の折罫線を平行に形成し、前記ブランクの裏面に前記折罫線とほぼ直交する方向に、所定の長さと幅を有する、単数もしくは複数の帯状の硬質性樹脂製シート片を接着し、前記ブランクを前記折罫線で前記硬質性樹脂製シート片とともに任意の角度に折り曲げて、情報表示面を前面に形成してなる表示パネルが提案されている（例えば、特許文献１参照。）。
また、従来、表示パネルとして上下一対の保持レールで保持されたプラスチック製の透明なフィルムを備える陳列棚が多く用いられている。この表示パネルは、陳列棚と透明フィルムとの間の狭い隙間に、ラベルを差し入れて用いる。
【先行技術文献】
【特許文献】
【０００３】
【特許文献１】特開２００２−６７４２号公報
【考案の概要】
【考案が解決しようとする課題】
【０００４】
しかし、上記の表示パネルは、量販店の現場まで硬質性樹脂製シート片が貼り込まれたブランクの状態で搬送されるため、購入したブランクを量販店の現場で折り加工して表示パネルに組み立てる必要がある。
【０００５】
すなわち、ブランクの折罫線分を直角を有する机のエッジ等に手で押し当てながら任意の角度になるように折り曲げて表示パネルに組み立てる必要があるので、現場の作業負担が大きいと言う問題がある。
【０００６】
また、この表示パネルは、情報表示面となるパネル部と商品を乗せるパネル部が一体に形成されているため、表示パネルを交換する場合には、一旦、使用中の表示パネルの上に乗っている商品を取り除き、次いで、使用中の表示パネルを新しい表示パネルに替え、しかる後に、商品を乗せるパネル部に商品を戻す必要があり、ここでも、現場の作業負担が大きいと言う問題がある。
【０００７】
また、従来の表示パネルは、平板状のブランクをコの字形、あるいはＶ字形に折り曲げて形成するので、美観に欠ける面がある。
更に、ブランクの裏面に貼り込まれている硬質性樹脂製シート片は、燃焼温度が高くなると言われているので、表示パネルを燃えるゴミとして廃棄する場合、焼却炉を傷める恐れがある。
【０００８】
本考案は、商品陳列棚上の商品を移動させることなく表示パネルを交換することが可能であり、また、現場での表示パネルの組立作業の負担がより少なく、更に、美観に優れ、その上、燃えるゴミとして廃棄する場合、焼却炉を傷める恐れのない表示パネルを提供することにある。
【０００９】
また、陳列棚と透明フィルムとの間の狭い隙間に、ラベルを差し入れて用いる表示パネルは、特に差し入れるラベルや差し替えるラベルが多い場合、作業が非常に煩雑となり、時間もかかる。
【課題を解決するための手段】
【００１０】
本考案の請求項１に係る表示パネルは、表示部とその背面側に設けられた少なくとも一つの補強部を備え、前記表示部はその上辺部の少なくとも両端に補強部側に折り曲げられたフックを有すると共に、その下辺部の少なくとも両端に補強部側に折り曲げられたリブを有し、前記補強部はその上下両端が前記表示部に接続され、かつ、その左右両端に設けた担持部によって前記表示部を前方に向かって張り出させて成るものである。
【００１１】
本考案の請求項２に係る表示パネルは、表示部が短冊形に形成され、前記表示部の背面側に設けられた補強部が凹レンズ形に形成され、前記補強部の両側に設けられた担持部が凸レンズ形に形成されている。
【００１２】
本考案の請求項３に係る表示パネルは、凹レンズ形に形成された補強部と、凸レンズ形に形成され担持部の境界線に浅い切り込みを設けている。
【００１３】
本考案の請求項４に係る表示パネルは、凸レンズ形に形成され担持部の前端中央に半円状の指掛かり部を設けている。
【００１４】
本考案の請求項５に係る表示パネルは、補強部と、該補強部の両側に設けられたリブは、その下辺部で表示部と一体的に連続し、前記補強部は、その上辺部が表示部の上辺部に糊付けされている。
【００１５】
本考案の請求項６に係る表示パネルは、表示部の前面に、少なくとも商品名、販売価格、キャッチフレーズを標記し、補強部の背面に担持部の押し込み方や、表示パネルの掛け方が標記している。
【考案の効果】
【００１６】
本考案の表示パネルは、表示部とその背面側に設けられた少なくとも一つの補強部を備え、前記表示部はその上辺部の少なくとも両端に補強部側に折り曲げられたフックを有すると共に、その下辺部の少なくとも両端に補強部側に折り曲げられたリブを有し、前記補強部はその上下両端が前記表示部に接続され、かつ、その左右両端に設けた担持部によって前記表示部を前方に向かって張り出させて成るものであるから、商品陳列棚の棚スリットやこぼれ止め部分にフックを掛けるだけで、商品陳列棚上の商品を移動させることなく、容易に交換することができる。
【００１７】
また、本考案の表示パネルは、補強部の左右両端に設けられている担持部を内側に折り込むだけで、表示部を前方に向かって張り出すことができるので、現場における表示パネルの組立作業の負担をより少なくすることができる。更に、本考案の表示パネルは、表示部が前方、すなわち、量販店内の通路側に向かって湾曲しているので、外観も良好である。その上、本考案の表示パネルは、すべて紙でできているので、燃えるゴミとして廃棄する場合、焼却炉を傷める恐れがない。
また、狭い隙間にラベルを出し入れする作業などが不要なので、設置作業は簡単であり、時間もかからない。
【図面の簡単な説明】
【００１８】
【図１】本考案に係る標準サイズ形表示パネルの正面側の斜視図である。
【図２】本考案に係る標準サイズ形表示パネルの背面側の斜視図である。
【図３】本考案に係る標準サイズ形表示パネルの展開図である。
【図４】出荷直前の標準サイズ形表示パネルの展開図である。
【図５】本考案に係る表示パネルの立体操作を示す斜視図である。
【図６】本考案に係る表示パネルを棚板の前端部に装着させた側面図である。
【図７】本考案に係るセミサイズ形表示パネルの展開図である。
【考案を実施するための形態】
【００１９】
以下、本考案の実施の形態を図面を用いて説明するが、この実施の形態では、横幅が標準の長さ（例えば、３０ｃｍ）を有する標準サイズの表示パネルについて説明する。
【００２０】
図１及び図２に示すように、標準サイズの表示パネル１０は、短冊形の横長の表示部２０とその背面側に設けられた一つの補強部３０を備えている。表示部２０は、その上辺部２１の両端に補強部３０側に折り曲げられたフック２２を有すると共に、その下辺部２３の両端に補強部３０側に折り曲げられたリブ２４を有している。リブ２４があることにより、表示部２０の形成保持が良好となる。
【００２１】
上記補強部３０は、その上下両端が表示部２０に接続され、更に、その左右両端に設けた凸レンズ形の担持部３１によって表示部２０を前方に向かって円弧状または湾曲状に張り出すようになっている。また、担持部３１は、その前端中央に半円状の指掛かり部３２を設けている。担持部３１は、表示部２０を前方、すなわち、店内の通路側に向かって円弧状または湾曲状に張り出すものであれば、凸レンズ形に限らない。
【００２２】
上記表示部２０の前面には、商品名、販売価格、キャッチフレーズ等が印刷されているが、所望により、販売価格については、別刷したラベル２５を、後日、貼るようにしても良い。また、補強部３０の背面には、担持部３１の押し込み方（図５参照）や、表示パネル１０の掛け方（図６参照）を印刷することができる。
【００２３】
表示パネル１０は、図３のように打ち抜き加工された一枚の板紙製のプレート４０から形成されているが、板紙は、コート紙、マニラボール、コートボール、ノーコートボール、クラフィト紙などの中から適宜選択することができる。また、板紙は、秤量が１２０〜６００ｇ／ｍ２の範囲にあるものが使用可能であり、好適には、２６０〜４８０ｇ／ｍ２の範囲にあるものである。
【００２４】
上記プレート４０は、図３に示すように、表示部２０となる短冊形のメイン部４１を主体とし、その上辺部中央に糊代部４２を有すると共に、その両端にフック２２となる長方形の耳部４３を有している。メイン部４１は、その下辺部に補強部３０とリブ２４になる凸形の折り返し部４４を有している。折り返し部４４は、中央に位置する凹レンズ形の中央部４５の両側に担持部３１となる凸レンズ形の翼部４６を有している。
【００２５】
メイン部４１は、その上辺部２１に沿って第１山折り罫線５１を有すると共に、その下辺部２３に沿って第４山折り罫線５４を有している。耳部４３は、第１山折り罫線５１と平行に第２、第３山折り罫線５２，５３、および第２、第１谷折り罫線６２，６１を設けている。第３山折り罫線５３は、第１山折り罫線５１と第１谷折り罫線６１の真ん中に設けている。また、折り返し部４４は、凹レンズ形の中央部４５と凸レンズ形の翼部４６の境界部に円弧状の第５山折り罫線５５を設けている。第５山折り罫線５５には、浅い切り込みが施され、第５山折り罫線５５に沿って折り曲げ易くなっている。
【００２６】
上記プレート４０は、第１、第４山折り罫線５１，５４を山折りすると共に、糊付けした糊代部４２を折り返し部４４の上端部背面に貼り付けし、更に、耳部４３の背面全体に糊付けした後、耳部４３の第３山折り罫線５３を山折りして耳部４３を二重構造にする（図４参照）。そして、糊付け部分を乾燥して偏平状のまま出荷される。本考案に係る表示パネルは、偏平状のまま出荷可能であることから、収納や運搬に、非常に便利である。フック２２となる耳部４３は、本実施形態では、図３より、二重構造となっているが、フック２２は、耳部４３を折り曲げただけでもよく、二重構造をさらに折り返して４重構造とすることもできる。
【００２７】
量販店に入荷した偏平状の表示パネル１０は、図５に示すように、補強部３０の両側に設けられている担持部３１を矢印のように補強部３０の内側に押し込んで表示部２０を前方に向かって湾曲状に張り出させる。担持部３１の数は、特に規定はないが、前記のように用いられることから、通常、１対以上あることが好ましく、さらに、必要に応じて２対以上とすることができる。
【００２８】
しかる後に、図６に示すように、第１、第２山折り罫線５１，５２を山折りしてＬ字形に屈曲させたフック２２を商品陳列棚の棚板１１の前端部に設けられている端板１２に引っ掛ける。
また、使い終わった際には、端板１２からフック２２を外し、担持部３１を図５に示す矢印とは逆方向に広げることにより、表示パネル１０を扁平状に簡単に戻すことが可能である。そのため、使用後の表示パネル１０の収納や運搬も、非常に便利である。
【００２９】
以上の説明では、標準サイズの表示パネル１０について説明したが、標準サイズの表示パネル１０を横方向に２個連接加工することによってセミサイズ（例えば、６０ｃｍ）の表示パネル１０ａ（図６参照）としたり、あるいは、標準サイズの表示パネル１０を横方向に３個連接加工することによってロングサイズ（例えば、９０〜１８０ｃｍ）の表示パネルとすることができる。
【符号の説明】
【００３０】
２０  表示部
２１  上辺部
２２  フック
２３  下辺部
２４  リブ
３０  補強部
３１  担持部
【図１】
0003159886.tif 000003
【図２】
0003159886.tif 000004
【図３】
0003159886.tif 000005
【図４】
0003159886.tif 000006
【図５】
0003159886.tif 000007
【図６】
0003159886.tif 000008
【図７】
0003159886.tif 000009